(57)【要約】【課題】トラッキングサーボを引き込む動作を実行しなくても、セットされたディスクの種類判別できるディスク判別方法を提供することを目的とする。【解決手段】トラッキング引き込み処理（Ｓ９）の完了前に、３本の反射光を検出する前記光検出器の検出信号を演算してメインプッシュプル信号振幅（Ｍａ）とサブプッシュプル信号振幅（Ｓａ）を計算し、前記メインプッシュプル信号振幅とサブプッシュプル信号の振幅比率（Ｍａ／Ｓａ或いはＳａ／Ｍａ）を計算し、前記振幅比率を基準値と比較して前記光ディスクの種別を判定する。【選択図】図４
2008103036.tif 000002
【特許請求の範囲】
【請求項１】
セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、
トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、前記振幅比率を基準値と比較して前記光ディスクの種別を判定する
光ディスク装置におけるディスク判別方法。
【請求項２】
セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、
前記光検出器の検出信号を演算して求めたフォーカス誤差信号に基づいて前記３本の光ビームが前記記録面で合焦するように前記対物レンズをフォーカス方向に駆動して合焦させるとともに、前記フォーカス誤差信号の振幅を基準値と比較して前記光ディスクの種別を判定し、
トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、前記振幅比率を基準値と比較して前記光ディスクの種別を判定する
光ディスク装置におけるディスク判別方法。
【請求項３】
セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、
前記対物レンズをディスク面に垂直に可動させてフォーカス誤差信号を検出してフォーカス引き込みを実行し、このフォーカス誤差信号の振幅に基づく判別処理により得られた第１ディスク種類情報を記憶し、
前記光検出器の検出信号を演算して求めたフォーカス誤差信号に基づいて前記３本の光ビームが前記記録面で合焦するように前記対物レンズをフォーカス方向に駆動して合焦させるとともに、前記フォーカス誤差信号の振幅を基準値と比較して前記光ディスクの種別がＤＶＤ系の低反射率ディスクであるか判定し、
前記フォーカス誤差信号の振幅を基準値と比較して光ディスクの種別がＤＶＤ系の低反射率ディスクと判定された場合には、トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、
前記振幅比率を基準値と比較して前記光ディスクの種別を判定し、この判別処理により得られた第２ディスク種類情報を記憶し、
前記第１，第２種類情報を比較して異なる場合には第２種類情報に基づいて制御パラメータを設定してトラッキング引き込み処理を実行し、
前記光ピックアップが光ディスク１から読み取った各種ディスクの特徴の有無から各ディスクの判別処理を行い、この判別処理により得られた第３ディスク種類情報と第２種類情報を比較して異なる場合には第３種類情報に基づいて制御パラメータを設定して運転処理を実行する
光ディスク装置におけるディスク判別方法。
【請求項４】
請求項１〜請求項３の何れかの光ディスク装置におけるディスク判別方法を実行して光ディスクの種別を判別する判別処理部を設け、
前記判別処理部による光ディスクの種別の判定結果に基づいてパラメータを設定して運転制御するよう構成した
光ディスク装置。
【発明の詳細な説明】
【技術分野】
【０００１】
ディスクとしてＤＶＤ±ＲＷとＤＶＤ−ＲＡＭディスクまたはその一方を取り扱うことができる光ディスク装置に関する。
【背景技術】
【０００２】
ＤＶＤ±ＲＷとＤＶＤ−ＲＡＭディスクでは、ランド／グルーブの段差、いわゆる溝の深さが異なることから、この種の光ディスク装置では、トラッキング誤差信号であるプッシュル信号振幅大きさの違いや、トラッキングサーボを引き込んだ上でウォブル信号やＬＰＰ（Land Pre-pit）やＤＶＤ−ＲＡＭディスク固有のＣＡＰＡ（Complementary Allocated Pit Address）の有無によって判別している。
【特許文献１】特開２００１−１８９０２５号公報
【特許文献２】特開平１１−４５４５１号公報
【特許文献３】特開平９−８１９４２号公報
【発明の開示】
【発明が解決しようとする課題】
【０００３】
しかし、近年ディスクを製造するメーカが増え、またその反射率は様々であり、プッシュプル信号での判別は困難になっている。またウォブル，ＬＰＰ，ＣＡＰＡの判断するのはトラッキングサーボを引き込む動作が必要になり、各々のディスクに合わせた設定を切り替えての判断処理に時間を要し非効率である。
【０００４】
本発明はトラッキングサーボを引き込む動作を実行しなくても、セットされたディスクの種類判別できるディスク判別方法を提供することを目的とする。
【課題を解決するための手段】
【０００５】
本発明の請求項１記載の光ディスク装置におけるディスク判別方法は、セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、前記振幅比率を基準値と比較して前記光ディスクの種別を判定することを特徴とする。
【０００６】
本発明の請求項２記載の光ディスク装置におけるディスク判別方法は、セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、前記光検出器の検出信号を演算して求めたフォーカス誤差信号に基づいて前記３本の光ビームが前記記録面で合焦するように前記対物レンズをフォーカス方向に駆動して合焦させるとともに、前記フォーカス誤差信号の振幅を基準値と比較して前記光ディスクの種別を判定し、トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、前記振幅比率を基準値と比較して前記光ディスクの種別を判定することを特徴とする。
【０００７】
本発明の請求項３記載の光ディスク装置におけるディスク判別方法は、セットされた光ディスクの記録面に光ピックアップが対物レンズを介して３本の光ビームを投射し、前記光ディスクの記録面からの３本の反射光を前記対物レンズを通して光検出器で検出し、前記３本の光ビームが前記光ディスク上のトラックを追従するように前記対物レンズをトラッキング方向に駆動して光ディスクにアクセスする光ディスク装置において、前記光ディスクの種別を判定するに際し、前記対物レンズをディスク面に垂直に可動させてフォーカス誤差信号を検出してフォーカス引き込みを実行し、このフォーカス誤差信号の振幅に基づく判別処理により得られた第１ディスク種類情報を記憶し、前記光検出器の検出信号を演算して求めたフォーカス誤差信号に基づいて前記３本の光ビームが前記記録面で合焦するように前記対物レンズをフォーカス方向に駆動して合焦させるとともに、前記フォーカス誤差信号の振幅を基準値と比較して前記光ディスクの種別がＤＶＤ系の低反射率ディスクであるか判定し、前記フォーカス誤差信号の振幅を基準値と比較して光ディスクの種別がＤＶＤ系の低反射率ディスクと判定された場合には、トラッキング引き込み処理の完了前に、３本の反射光を検出する前記光検出器の検出信号を演算してメインプッシュプル信号振幅とサブプッシュプル信号振幅を計算し、前記メインプッシュプル信号振幅とサブプッシュプル信号の振幅比率を計算し、前記振幅比率を基準値と比較して前記光ディスクの種別を判定し、この判別処理により得られた第２ディスク種類情報を記憶し、前記第１，第２種類情報を比較して異なる場合には第２種類情報に基づいて制御パラメータを設定してトラッキング引き込み処理を実行し、前記光ピックアップが光ディスク１から読み取った各種ディスクの特徴の有無から各ディスクの判別処理を行い、この判別処理により得られた第３ディスク種類情報と第２種類情報を比較して異なる場合には第３種類情報に基づいて制御パラメータを設定して運転処理を実行することを特徴とする。
【０００８】
本発明の請求項４記載の光ディスク装置は、請求項１〜請求項３の何れかのディスク判別方法を実行して光ディスクの種別を判別する判別処理部を設け、前記判別処理部による光ディスクの種別の判定結果に基づいてパラメータを設定して運転制御するよう構成したことを特徴とする。
【発明の効果】
【０００９】
この構成によると、メイン及びサブプッシュプルトラッキング誤差信号の比率に対して設定された基準値に基づいて、ＤＶＤ−ＲＡＭとＤＶＤ±ＲＷの判別を容易に行うことが可能となる。
【発明を実施するための最良の形態】
【００１０】
以下、本発明の実施の形態を図１〜図４に基づいて説明する。
図１は、本発明のディスク判別方法を実施する光ディスク装置を示す。
セットされた光ディスク１は、ディスクモータ２によって所定の速度で回転する。この光ディスク１に対して、光ピックアップ３から対物レンズ４を通して光ビームが照射される。前記光ビームの強度は、レーザー発光制御回路５によって制御されている。対物レンズ４はトラッキングアクチュエータ６によってディスク１の半径方向に駆動することができ、またフォーカスアクチュエータ７によって対物レンズ４を光ディスク１の垂直方向に駆動することができる。
【００１１】
光ディスク１の記録面で反射して対物レンズ４を通した光ビームは、光検出器８で検出される。
図２は（特許文献３）などに記載された光ピックアップ３の概略である。
【００１２】
９は記録再生用の光束を放射する半導体レーザなどの光源、１０は光源９からの光ビームを平行ビームに変換するコリメータレンズ、１１は光源１からの光ビームを３本の光ビームに分割するとともに、そのうち２本の光ビームの略半面に略１８０度の位相差を与える回折格子である。１２はコリメータレンズ１０からの平行ビームを反射すると共に光ディスク１からの反射ビームを透過させるビームスプリッタであって、前記光源９からの出射光ビームを対物レンズ４によって、光ディスク１の情報記録面１３上に集光するとともに光ディスク１からの反射ビームを平行ビームにしている。
【００１３】
１４は光ディスク１のトラックで、ｘ方向に平行である。ｙ方向とは光ディスク１と平行な面内にあり、かつトラック１４に垂直な方向である。また、フォーカス制御するｚ方向は情報記録面１３に垂直な方向である。１５は集束レンズである。
【００１４】
対物レンズ４を通過して光ディスク１の面上に形成された３つの光スポット４１，４２，４３の反射光は、集束レンズ１５を通過して光検知器１６，１７，１８で受光される。この光検知器１６，１７，１８の出力に基づいて信号処理回路１９を経てフォーカスアクチュエータ７を駆動して対物レンズ４を移動させてフォーカス制御を実行している。
【００１５】
また、図１におけるトラッキング誤差信号処理部（ＴＥ信号処理部）２０は、前記３本の光ビームが前記光ディスク上のトラック１４を追従するように対物レンズ４をトラッキング方向（ｘ方向）に駆動するトラッキング誤差信号を発生すると共に、図３に示すようにしてメインプッシュプル信号振幅（Ｍａ）とサブプッシュプル信号振幅（Ｓａ）を計算する。
【００１６】
具体的には、光検知器１６，１７，１８は、何れもが受光面を４分割したものを使用しており、情報記録面１３上での３つの集光スポット４１，４２，４３は光スポット４８，４９，５０として照射されている。
【００１７】
メインプッシュプル信号振幅（Ｍａ）は、次のように計算されている。ここでは、光検出器１６の４つの受光面ａ，ｂ，ｃ，ｄの出力信号のうちの受光面ａの信号と受光面ｄの信号がアンプ１０１，１０４を介して加算器１０５で加算された出力信号ＭＴＥ−Ｐと、受光面ｂの信号と受光面ｃの信号がアンプ１０２，１０３を介して加算器１０６で加算された出力信号ＭＴＥ−Ｎとの差が、誤差増幅器１０７で検出されて、これをメインプッシュプル信号振幅（Ｍａ）としている。
【００１８】
サブプッシュプル信号振幅（Ｓａ）は、次のように計算されている。
ここでサブプッシュプル信号振幅（Ｓａ）は、加算器１１２の出力ＳＴＥ−Ｐと加算器１１３の出力ＳＴＥ−Ｎとの差が、誤差増幅器１１４で検出されて、これをサブプッシュプル信号振幅（Ｓａ）としている。
【００１９】
加算器１１２では、光検出器１７の４つの受光面ｅ，ｆ，ｇ，ｈの出力信号のうちの受光面ｈの信号と、光検出器１８の４つの受光面ｉ，ｊ，ｋ，ｌの出力信号のうちの受光面ｌの信号とを互いに接続してアンプ１０８を介した出力（ｈ＋ｌ）と、受光面ｅの信号と受光面ｉの信号とを、互いに接続してアンプ１０９を介した出力（ｅ＋ｉ）を、加算して出力信号ＳＴＥ−Ｐを得ている。
【００２０】
加算器１１３では、受光面ｇの信号と、受光面ｋの信号とを互いに接続してアンプ１１０を介した出力（ｇ＋ｋ）と、受光面ｆの信号と受光面ｊの信号とを互いに接続してアンプ１１１を介した出力（ｆ＋ｊ）を、加算して出力信号ＳＴＥ−Ｎを得ている。
【００２１】
図１におけるフォーカス誤差信号処理部（ＦＥ信号処理部）２１は、光検出器８における受光信号に基づいて対物レンズ４の合焦点と所定位置との誤差であるフォーカス誤差信号を生成する。
【００２２】
トラッキングアクチュエータ６は、ＴＥ信号処理部２０の出力のトラッキング誤差信号をＡ／Ｄ変換器２２でデジタル変換し、更にサーボフィルタ回路２３とトラッキング駆動部２４を介して駆動されている。
【００２３】
フォーカスアクチュエータ７は、ＦＥ信号処理部２１の出力のフォーカス誤差信号をＡ／Ｄ変換器２２でデジタル変換し、更にサーボフィルタ回路２３とフォーカス駆動部２５を介して駆動されている。
【００２４】
制御部２６は、マイクロコンピュータを主要部として構成されており、設定された基準値とメモリ部２７を介してＡ／Ｄ変換器２２から入力されたトラッキング誤差信号検出回路２０の出力とに基づいて、光ディスク１の種類を判別して、その結果に基づいてレーザー発光制御回路５とサーボフィルタ回路２３を制御している。メモリ部２７には、第１〜第３メモリ２７ａ，２７ｂ，２７ｃが設けられている。
【００２５】
図４は制御部２６のディスク種類判別処理についてのフローチャートを示している。
ステップＳ１では、レーザー発光制御回路５を介して光ディスク１にＤＶＤ用のパワーのレーザーを発光させる。
【００２６】
ステップＳ２では、フォーカスアクチュエータ７を光ディスク１に対して垂直方向に可動させてフォーカス誤差信号を検出してフォーカス引き込みを実行する。ここで、第１メモリ２７ａは、フォーカス誤差信号の振幅に基づく判別処理により得られたディスク種類情報を記憶している。
【００２７】
ステップＳ３では、ステップＳ２で得られたフォーカス誤差信号が基準値以上であればＤＶＤ系と判別し、さらにそのフォーカス誤差信号振幅ならびに、主ビームから得られる全加算信号つまり、光検出器１６の４つの受光面ａ，ｂ，ｃ，ｄの出力信号を加算した絶対反射光量値（ａ＋ｂ＋ｃ＋ｄ）を得、この絶対反射光量値およびフォーカス誤差信号振幅が基準値以内である場合には、ステップＳ４で光ディスク１がＤＶＤ系の低反射率ディスクである“ＤＶＤ−ＲＡＭ”あるいは“ＤＶＤ−ＲＷ”と判別される。また、絶対反射光量値およびフォーカス誤差信号振幅が基準値を越えている場合には、ステップＳ５で光ディスク１がＤＶＤ系の高反射率ディスクである“ＤＶＤ−Ｒ”あるいは“ＤＶＤ−ＲＯＭ”と判別される。
【００２８】
ステップＳ４で光ディスク１がＤＶＤ系の低反射率ディスクであると判別された場合に実行されるステップＳ６では、メインプッシュプル信号振幅（Ｍａ）とサブプッシュプル信号振幅（Ｓａ）の振幅の信号振幅比率ｋ＝（Ｍａ／Ｓａ）と基準値を比較する。このとき、第２メモリ２７ｂは、プッシュプル振幅比率判別処理により得られたディスク種類情報を記憶している。信号振幅比率ｋが基準値以内の場合には、ステップＳ７で光ディスク１が“ＤＶＤ−ＲＡＭ”として判別される。また、信号振幅比率ｋが基準値を越えている場合には、ステップＳ８で光ディスク１が“ＤＶＤ±ＲＷ”として判別される。
【００２９】
このようにして、ステップＳ５またはステップＳ７またはステップＳ８の判別結果に基づいてステップＳ９においてトラッキングを引き込む。
なお、ステップＳ９においては、第１メモリ２７ａに記憶されているディスク種類情報と、第２メモリ２７ｂに記憶されているディスク種類情報とを比較して、レーザ発光制御回路５に係わるパラメータとサーボフィルタ回路２３に係わるパラメータを適正に設定する。具体的には、第１メモリ２７ａ内のディスク種類情報と第２メモリ２７ｂ内のディスク種類情報が異なる場合には、制御部２６は第２メモリ２７ｂ内のディスク種類情報に基て各種のパラメータを設定している。
【００３０】
ステップＳ１０では、光ピックアップ３が光ディスク１から読み取った各種ディスクの特徴であるアドレスやウォブルやＬＰＰ（Ｌａｎｄ  Ｐｒｅ−Ｐｉｔ）の有無から各ディスクの判別処理を行い、ステップＳ１１でそれぞれディスクに応じた装置パラメータ設定してサーボフィルタ回路２３を制御する。
【００３１】
なお、ステップＳ１０では、ここでの判別処理により得られたディスク種類情報は第３メモリ２７ｃに記憶している。そしてステップＳ１１における装置パラメータ設定の際には、第２メモリ２７ｂに記憶されているディスク種類情報と、第３メモリ２７ｃに記憶されているディスク種類情報とを比較して、両者のディスク種類情報が異なる場合には、第３メモリ２７ｃ内のディスク種類情報に基づいて、制御部２６がレーザ発光制御回路５に係わるパラメータとサーボフィルタ回路２３に係わるパラメータを適正に設定している。
【００３２】
このように、ステップＳ６において信号振幅比率ｋ＝（Ｍａ／Ｓａ）に基づいて“ＤＶＤ−ＲＡＭ”であるのか“ＤＶＤ±ＲＷ”であるのか光ディスク１を正確に判別することができ、ステップＳ１０を経てステップＳ１１で装置パラメータを適正値に設定できる。
【００３３】
また、セットされたディスクが排出されるまでの間は、メモリ２７に記憶されたディスク種類情報は管理されており、新たなディスク判別処理を行わないように制御部２６が構成されている。
【００３４】
上記の実施の形態では、信号振幅比率ｋ＝（Ｍａ／Ｓａ）に基づいて判別したが、ｋ＝（Ｓａ／Ｍａ）によって判別するようにも構成できる。
上記の実施の形態では、メモリ部２７を制御部２６とは別に設けたが、制御部２６に設けて構成することもできる。
【産業上の利用可能性】
【００３５】
本発明は光ピックアップ駆動装置を搭載した光ディスク装置、ならびにこの種の光ディスク装置を搭載した機器の性能の向上に有効である。
【図面の簡単な説明】
【００３６】
【図１】本発明のディスク判別方法を実施する光ディスク装置の構成図
【図２】同実施の形態の光ピックアップの構成図
【図３】同実施の形態の信号処理の説明図
【図４】同実施の形態の制御部のフローチャート図
【符号の説明】
【００３７】
Ｍａ    メインプッシュプル信号振幅
Ｓａ    サブプッシュプル信号振幅
１    光ディスク
２    ディスクモータ
３    光ピックアップ
４    対物レンズ
５    レーザー発光制御回路
６    トラッキングアクチュエータ
７    フォーカスアクチュエータ
８    光検出器
９    光源
１０    コリメータレンズ
１１    回折格子
１２    ビームスプリッタ
１３    光ディスク１の情報記録面
１４    トラック
１５    集束レンズ
１６，１７，１８    光検知器
１９    信号処理回路
２０    トラッキング誤差信号処理部（ＴＥ信号処理部）
２１    フォーカス誤差信号処理部（ＦＥ信号処理部）
２２    Ａ／Ｄ変換器
２３    サーボフィルタ回路
２４    トラッキング駆動部
２５  フォーカス駆動部
２６    制御部
２７    メモリ部
２７ａ，２７ｂ，２７ｃ    第１〜第３メモリ
４１，４２，４３    情報記録面１３上での３つの集光スポット
４８，４９，５０    光検知器１６，１７，１８上での３つの光スポット
ａ，ｂ，ｃ，ｄ    光検出器１６の４つの受光面
ｅ，ｆ，ｇ，ｈ光検出器１７の４つの受光面
ｉ，ｊ，ｋ，ｌ光検出器１８の４つの受光面
１０１〜１０４    アンプ
１０５，１０６，１１２，１１３    加算器
１０７，１１４      誤差増幅器
１０８，１０９    アンプ
【図１】
2008103036.tif 000003
【図２】
2008103036.tif 000004
【図３】
2008103036.tif 000005
【図４】
2008103036.tif 000006